【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
一つ以上のホスト計算機、一つ以上のストレージ装置、及び管理計算機を備えるストレージシステムにおいて、
前記ホスト計算機は、演算処理をする第一プロセッサと、前記第一プロセッサに接続される第一記憶部と、前記第一プロセッサに接続される第一インタフェースと、を備え、
前記ストレージ装置は、演算処理をする第二プロセッサと、前記ホスト計算機から書き込みを要求されたデータを記憶するボリュームを備えるディスク装置と、前記第二プロセッサに接続される第二インタフェースと、を備え、前記ボリュームは、複製元である正側のボリューム及び複製先の副側のボリュームを含み、
前記管理計算機は、演算処理をする第三プロセッサと、前記第三プロセッサに接続される第三記憶部と、前記第三プロセッサに接続される第三インタフェースと、を備え、
前記正側のボリュームと前記副側のボリュームとが、コピーペアを構成し、
前記第一記憶部には、コピーペアを構成する前記前記正側のボリュームと前記副側のボリュームとの対応を示す前記コピーペアの定義情報が格納され、
前記第三プロセッサは、
前記第一記憶部に格納される全ての前記コピーペアの定義情報を取得し、
前記取得された全てのコピーペアの定義情報から、重複するコピーペアの定義情報を取り除き、
前記重複するコピーペアの定義情報が取り除かれたコピーペアの定義情報に基づいて、前記コピーペアの状態を取得することを特徴するストレージシステム。
【請求項２】
前記第一プロセッサは、前記コピーペアを業務毎にグループ化されたコピーグループ単位で管理し、
前記第一記憶部には、一つのコピーグループに属する全ての前記コピーペアの定義情報が、コピーグループ定義情報として格納され、
前記第三プロセッサは、前記第一記憶部に格納される全ての前記コピーグループ定義情報を取得することによって、前記第一記憶部に格納される全ての前記コピーペアの定義情報を取得することを特徴とする請求項１に記載のストレージシステム。
【請求項３】
前記第三プロセッサは、前記コピーグループが選択されると、前記取得されたコピーペアの状態のうち、前記選択されたコピーグループに属するコピーペアの状態を表示することを特徴とする請求項２に記載のストレージシステム。
【請求項４】
前記第三プロセッサは、
他のコピーグループ定義情報に含まれるコピーペアの定義情報のみを含むコピーグループ定義情報を、前記取得された全てのコピーグループ定義情報から取り除くことによって、前記取得された全てのコピーペアの定義情報から、重複するコピーペアの定義情報を取り除くことを特徴とする請求項２に記載のストレージシステム。
【請求項５】
前記第三プロセッサは、
前記コピーグループに優先度が設定されると、
前記取得された全てのコピーグループ定義情報に含まれるコピーペアの定義情報で、重複するコピーペアの定義情報が含まれる場合、
前記取得された全てのコピーペアの定義情報から、前記優先度が高いコピーグループに属するコピーペアの定義情報を取り除くことを特徴とする請求項２に記載のストレージシステム。
【請求項６】
前記第三記憶部には、前記優先度を決定するためのルールが格納され、
前記第三プロセッサは、前記ルールに基づいて、前記優先度を決定することを特徴とする請求項５に記載のストレージシステム。
【請求項７】
前記第三プロセッサは、前記ルールの入力を受け付けることを特徴とする請求項６に記載のストレージシステム。
【請求項８】
一つ以上のホスト計算機と、前記ホスト計算機に接続され、前記ホスト計算機からの書き込み要求されたデータを記憶するボリュームを備える一つ以上のストレージ装置と、にアクセス可能な管理計算機であって、
前記ボリュームは、複製元である正側のボリュームと複製先である副側のボリュームとを含み、前記正側のボリュームと前記副側のボリュームとが、コピーペアを構成し、
前記ホスト計算機は、前記正側のボリュームと前記副側のボリュームの対応を示すコピーペアの定義情報を記憶し、
前記管理計算機は、
前記ホスト計算機に記憶される全ての前記コピーペアの定義情報を取得し、
前記取得された全てのコピーペアの定義情報から、重複するコピーペアの定義情報を取り除き、
前記重複するコピーペアの定義情報が取り除かれたコピーペアの定義情報に基づいて、前記コピーペアの状態を取得することを特徴する管理計算機。
【請求項９】
前記ホスト計算機は、前記コピーペアを業務毎にグループ化されたコピーグループ単位で管理し、
前記ホスト計算機は、一つのコピーグループに属する全ての前記コピーペアの定義情報を、コピーグループ定義情報として記憶し、
前記管理計算機は、前記ホスト計算機に記憶される全ての前記コピーグループ定義情報を取得することによって、前記ホスト計算機に記憶される全ての前記コピーペアの定義情報を取得することを特徴とする請求項８に記載の管理計算機。
【請求項１０】
前記管理計算機は、前記コピーグループが選択されると、前記取得されたコピーペアの状態のうち、前記選択されたコピーグループに属するコピーペアの状態を表示することを特徴とする請求項９に記載の管理計算機。
【請求項１１】
他のコピーグループ定義情報に含まれるコピーペアの定義情報のみを含むコピーグループ定義情報を、前記取得された全てのコピーグループ定義情報から取り除くことによって、前記取得された全てのコピーペアの定義情報から、重複するコピーペアの定義情報を取り除くことを特徴とする請求項９に記載の管理計算機。
【請求項１２】
前記コピーグループに優先度が設定されると、
前記取得された全てのコピーグループ定義情報に含まれるコピーペアの定義情報で、重複するコピーペアの定義情報が含まれる場合、
前記取得された全てのコピーペアの定義情報から、前記優先度が高いコピーグループに属するコピーペアの定義情報を取り除くことを特徴とする請求項９に記載の管理計算機。
【請求項１３】
前記優先度を決定するためのルールを記憶し、
前記ルールに基づいて、前記優先度を決定することを特徴とする請求項１２に記載の管理計算機。
【請求項１４】
前記ルールの入力を受け付けることを特徴とする請求項１３に記載の管理計算機。
【請求項１５】
一つ以上のホスト計算機と、前記ホスト計算機に接続され、前記ホスト計算機からの書き込み要求されたデータを記憶するボリュームを備える一つ以上のストレージ装置と、前記ホスト計算機及び前記ストレージ装置にアクセス可能な管理計算機と、を備えるストレージシステムにおけるコピーペア監視方法において、
前記ボリュームは、複製元である正側のボリューム及び複製先である副側のボリュームを含み、
コピーペアは、前記正側のボリューム及び前記副側のボリュームから構成され、
前記ホスト計算機は、前記正側のボリュームと前記副側のボリュームの対応を示すコピーペアの定義情報を記憶し、
前記コピーペア監視方法は、
前記ホスト計算機に記憶される全ての前記コピーペアの定義情報を取得し、
前記取得された全てのコピーペアの定義情報から、重複するコピーペアの定義情報を取り除き、
前記重複するコピーペアの定義情報が取り除かれたコピーペアの定義情報に基づいて、前記コピーペアの状態を取得することを特徴するコピーペア監視方法。
【請求項１６】
前記ホスト計算機は、前記コピーペアを業務毎にグループ化されたコピーグループ単位で管理し、
前記ホスト計算機は、一つのコピーグループに属する全ての前記コピーペアの定義情報を、コピーグループ定義情報として記憶し、
前記コピーペア監視方法は、前記ホスト計算機に記憶される全ての前記コピーグループ定義情報を取得することによって、前記ホスト計算機に記憶される全ての前記コピーペアの定義情報を取得することを特徴とする請求項１５に記載のコピーペア監視方法。
【請求項１７】
前記コピーペア監視方法は、前記コピーグループが選択されると、前記取得されたコピーペアの状態のうち、前記選択されたコピーグループに属するコピーペアの状態を表示することを特徴とする請求項１６に記載のコピーペア監視方法。
【請求項１８】
前記コピーペア監視方法は、
他のコピーグループ定義情報に含まれるコピーペアの定義情報のみを含むコピーグループ定義情報を、前記取得された全てのコピーグループ定義情報から取り除くことによって、前記取得された全てのコピーペアの定義情報から、重複するコピーペアの定義情報を取り除くことを特徴とする請求項１６に記載のコピーペア監視方法。
【請求項１９】
前記コピーペア監視方法は、
前記コピーグループに優先度が設定されると、
前記取得された全てのコピーグループ定義情報に含まれるコピーペアの定義情報で、重複するコピーペアの定義情報が含まれる場合、
前記取得された全てのコピーペアの定義情報から、前記優先度が高いコピーグループに属するコピーペアの定義情報を取り除くことを特徴とする請求項１６に記載のコピーペア監視方法。
【請求項２０】
前記コピーペア監視方法は、
前記優先度を決定するためのルールを記憶し、
前記ルールに基づいて、前記優先度を決定することを特徴とする請求項１９に記載のコピーペア監視方法。